(57)【特許請求の範囲】
【請求項１】
画像評価装置と、前記画像評価装置に撮影画像と撮影時の情報を送信する撮影装置とを有する画像管理システムであって、
前記撮影装置が、
前記撮影装置で画像を撮影した際の撮影位置情報を取得する撮影位置情報取得装置と、
前記撮影画像および前記撮影位置情報を送信する無線通信装置と、を有し、
前記画像評価装置が、
前記撮影装置から送信された撮影画像および撮影位置情報を受信する画像受信部と、
位置情報と、該位置情報によって特定される場所を利用する権限を持つ複数のユーザが関連付けられたグループ情報と、を関連付けて管理するユーザ管理部と、
前記撮影位置情報と前記ユーザ管理部で管理されている位置情報とに基づいて、対応する前記グループ情報を特定し、該特定されたグループ情報に関連付けられたユーザに対して前記受信した撮影画像へのアクセスを許可するアクセス権限を設定するアクセス権限設定部と、を有することを特徴とする画像管理システム。
【請求項２】
前記無線通信装置は、前記撮影画像および前記撮影位置情報に加えて前記撮影画像を撮影した際の撮影時刻情報を送信し、
前記画像評価装置は、
前記画像受信部において、前記撮影時刻情報を受信し、
前記ユーザ管理部において、前記グループ情報と時刻情報とを関連付けて管理し、
前記アクセス権限設定部において、前記対応するグループ情報を特定する際に、前記撮影時刻情報と前記時刻情報とを用いることを特徴とする請求項１記載の画像管理システム。
【請求項３】
前記画像評価装置は、前記受信した撮影画像を保存する画像蓄積部を有し、
前記保存される撮影画像は、前記アクセス権限設定部によって設定されたアクセス権限情報が関連付けられて保存されることを特徴とする請求項１又は２記載の画像管理システム。
【請求項４】
前記画像評価装置は、前記アクセス権限設定部により得られたアクセス可能なユーザに対して、ファイルまたはファイルへのリンクを送信するリンク情報送信部を有することを特徴とする請求項１乃至３の何れか一項記載の画像管理システム。
【請求項５】
撮影装置から送信された撮影画像および撮影位置情報を受信する画像受信部と、
位置情報と、該位置情報によって特定される場所を利用する権限を持つ複数のユーザが関連付けられたグループ情報と、を関連付けて管理するユーザ管理部と、
前記撮影位置情報と前記ユーザ管理部で管理されている位置情報とに基づいて、対応する前記グループ情報を特定し、該特定されたグループ情報に関連付けられたユーザに対して前記受信した撮影画像へのアクセスを許可するアクセス権限を設定するアクセス権限設定部と、を有することを特徴とする画像評価装置。
【請求項６】
画像評価装置と、前記画像評価装置に撮影画像と撮影時の情報を送信する撮影装置とを有する画像管理システムにおける画像管理方法であって、
前記撮影装置が、
前記撮影装置で画像を撮影した際の撮影位置情報を取得する撮影位置情報取得工程と、
前記撮影画像および前記撮影位置情報を送信する無線通信工程と、を有し、
前記画像評価装置が、
前記撮影装置から送信された撮影画像および撮影位置情報を受信する画像受信工程と、
位置情報と、該位置情報によって特定される場所を利用する権限を持つ複数のユーザが関連付けられたグループ情報と、を関連付けて管理するユーザ管理工程と、
前記撮影位置情報と前記ユーザ管理工程で管理されている位置情報とに基づいて、対応する前記グループ情報を特定し、該特定されたグループ情報に関連付けられたユーザに対して前記受信した撮影画像へのアクセスを許可するアクセス権限を設定するアクセス権限設定工程と、を有することを特徴とする画像管理方法。
【請求項７】
前記アクセス権限設定工程により得られたアクセス可能なユーザに対して、ファイルまたはファイルへのリンクを送信するリンク情報送信ステップを有することを特徴とする請求項６記載の画像管理方法。
【請求項８】
コンピュータに請求項６又７記載の画像管理方法を実行させるためのプログラム。
【請求項９】
請求項８記載のプログラムを記録したコンピュータ読み取り可能な記憶媒体。
【発明の詳細な説明】
【技術分野】
【０００１】
本発明は、会議で使用した板書などを画像に撮影して保存・回覧したりするための画像管理システム、画像評価装置、画像管理方法、プログラム、記憶媒体に関し、特に会議で使用した板書などを撮影した画像を撮影装置から直接に共有サーバへ短時間で確実にアップロードを行うのに好適な画像管理システム、画像評価装置、画像管理方法、プログラム、記憶媒体に関する。
【背景技術】
【０００２】
現在、デジタルカメラやデジタルビデオカメラの普及により、会議で使用した板書などを画像に撮影して保存・回覧したり、会議自体を映像として保存したりすることがしばしば行われている。そして、それらの画像・映像を共有サーバへアップロードし、メンバーのみがアクセス可能であるように、ファイルもしくはフォルダにアクセス制限をかけて運用することが行われている。
なお、従来技術としては、特許文献１として、電子カメラが撮影した画像データに識別情報を付けて、インターネット上の画像サーバにアップロードするとともに、電子カメラが撮影時に撮影画面中の被写体となる人物の所持する携帯電話等の電子機器と交信を行い、画像データをアップロードした画像サーバのアクセス情報と画像データの識別情報を電子機器側に伝え、受信したアクセス情報と識別情報に基づき、電子機器は個別に画像サーバから画像データをダウンロードして利用する技術が開示されている。
【特許文献１】特開２００３−１７９８４０公報
【発明の開示】
【発明が解決しようとする課題】
【０００３】
ここで、撮影者が画像を共有サーバへアップロードするのを忘れることを防ぐためには、会議中もしくは会議終了直後に画像を共有サーバへアップすることが最適である。
しかしながら、一般には、共有サーバへ画像をアップロードする作業はＰＣから行われており、そのような場合、カメラからＰＣへ画像を転送し、そしてアクセス制御を保有しているフォルダにファイルを移動するなどの作業を行わなければならず、大変手間がかかり、会議中に行うと会議の進行の妨げになったり、撮影者が会議の議論に参加できなくなったりするなどの問題があった。
本発明は、上記従来の問題点を鑑みてなされたものであり、その目的は、会議で使用した板書などを撮影した画像を撮影装置から直接に共有サーバへ短時間で確実にアップロードできる画像管理システム、画像評価装置、画像管理方法、プログラム、記憶媒体を提供することである。
本発明の他の目的は、アップロードされた画像に対して、適当なアクセス権限を自動的に付加することにより、ユーザが気軽に画像を共有サーバへアップロードできる画像管理システム、画像評価装置、画像管理方法、プログラム、記憶媒体を提供することである。
【課題を解決するための手段】
【０００４】
上述の目的を達成するために、請求項１記載の発明は、画像評価装置と、前記画像評価装置に撮影画像と撮影時の情報を送信する撮影装置とを有する画像管理システムであって、前記撮影装置が、前記撮影装置で画像を撮影した際の撮影位置情報を取得する撮影位置情報取得装置と、前記撮影画像および前記撮影位置情報を送信する無線通信装置と、を有し、前記画像評価装置が、前記撮影装置から送信された撮影画像および撮影位置情報を受信する画像受信部と、位置情報と、該位置情報によって特定される場所を利用する権限を持つ複数のユーザが関連付けられたグループ情報と、を関連付けて管理するユーザ管理部と、前記撮影位置情報と前記ユーザ管理部で管理されている位置情報とに基づいて、対応する前記グループ情報を特定し、該特定されたグループ情報に関連付けられたユーザに対して前記受信した撮影画像へのアクセスを許可するアクセス権限を設定するアクセス権限設定部と、を有することを特徴とする。
また請求項２記載の発明は、前記無線通信装置は、前記撮影画像および前記撮影位置情報に加えて前記撮影画像を撮影した際の撮影時刻情報を送信し、前記画像評価装置は、前記画像受信部において、前記撮影時刻情報を受信し、前記ユーザ管理部において、前記グループ情報と時刻情報とを関連付けて管理し、前記アクセス権限設定部において、前記対応するグループ情報を特定する際に、前記撮影時刻情報と前記時刻情報とを用いることを特徴とする。
また請求項３記載の発明は、前記画像評価装置は、前記受信した撮影画像を保存する画像蓄積部を有し、前記保存される撮影画像は、前記アクセス権限設定部によって設定されたアクセス権限情報が関連付けられて保存されることを特徴とする。
また請求項４記載の発明は、前記画像評価装置は、前記アクセス権限設定部により得られたアクセス可能なユーザに対して、ファイルまたはファイルへのリンクを送信するリンク情報送信部を有することを特徴とする。
【０００５】
また請求項５記載の発明は、撮影装置から送信された撮影画像および撮影位置情報を受信する画像受信部と、位置情報と、該位置情報によって特定される場所を利用する権限を持つ複数のユーザが関連付けられたグループ情報と、を関連付けて管理するユーザ管理部と、前記撮影位置情報と前記ユーザ管理部で管理されている位置情報とに基づいて、対応する前記グループ情報を特定し、該特定されたグループ情報に関連付けられたユーザに対して前記受信した撮影画像へのアクセスを許可するアクセス権限を設定するアクセス権限設定部と、を有する画像評価装置を特徴とする。
また請求項６記載の発明は、画像評価装置と、前記画像評価装置に撮影画像と撮影時の情報を送信する撮影装置とを有する画像管理システムにおける画像管理方法であって、前記撮影装置が、前記撮影装置で画像を撮影した際の撮影位置情報を取得する撮影位置情報取得工程と、前記撮影画像および前記撮影位置情報を送信する無線通信工程と、を有し、前記画像評価装置が、前記撮影装置から送信された撮影画像および撮影位置情報を受信する画像受信工程と、位置情報と、該位置情報によって特定される場所を利用する権限を持つ複数のユーザが関連付けられたグループ情報と、を関連付けて管理するユーザ管理工程と、前記撮影位置情報と前記ユーザ管理工程で管理されている位置情報とに基づいて、対応する前記グループ情報を特定し、該特定されたグループ情報に関連付けられたユーザに対して前記受信した撮影画像へのアクセスを許可するアクセス権限を設定するアクセス権限設定工程と、を有することを特徴とする。
また請求項７記載の発明は、前記アクセス権限設定工程により得られたアクセス可能なユーザに対して、ファイルまたはファイルへのリンクを送信するリンク情報送信ステップを有することを特徴とする。
また請求項８記載の発明は、コンピュータに請求項６又７記載の画像管理方法を実行させるためのプログラムを特徴とする。
また請求項９記載の発明は、請求項８記載のプログラムを記録したコンピュータ読み取り可能な記憶媒体を特徴とする。
【発明の効果】
【０００６】
本発明によれば、会議で使用した板書などを撮影した画像を撮影装置から直接に共有サーバへ短時間で確実にアップロードできると共に、画像をサーバにアップロードしただけで、アクセス制限が付与されるようになる。そのため、ユーザは気軽に画像をアップロードすることができる。
また、本発明によれば、画像が撮影された場所や時間により、その画像にアクセスできるべき人物を推定することができる。
また、本発明によれば、画像が撮影されたときに、その場にいた人を獲得することができる。
また、本発明によれば、サーバに蓄積されたファイルが膨大に存在する場合でも、ユーザが簡単にファイルを利用することができる。
【発明を実施するための最良の形態】
【０００７】
以下に添付の図を参照してこの発明の実施形態を詳細に説明する。
図１は、本発明による画像管理システムを示す図であり、（ａ）は画像管理システムの第一実施形態の概略構成ブロック図であり、（ｂ）はサーバ１の一構成を示す図である。
図１（ａ）に示すように、この画像管理システムは、画像評価装置としてのサーバ１と、サーバ１に撮影画像と撮影時の情報を送信するデジタルカメラ３からなり、デジタルカメラ３は、内蔵された無線ＬＡＮ５と絶対位置取得装置７を有している。それにより、無線ＬＡＮ５を用いて撮影画像などのデータの送受信を行うことが可能であり、絶対位置取得装置７により、デジタルカメラ３で画像を撮影した際の絶対位置を取得することができる。ここで、絶対位置は、画像を撮影したデジタルカメラ３の絶対位置あるいはデジタルカメラ３によって画像を撮影した人の絶対位置となる。すなわち、画像が撮影された場所や時間により、その画像にアクセスできるべき人物を推定することができ、画像が撮影されたときに、その場にいた人を獲得することができる。
ここで、絶対位置取得装置７の例としては、ＧＰＳ装置が挙げられ、より高精度の絶対位置を取得する必要がある場合は、高精度の装置を用いる。この場合、高精度の装置で利用するサーバ（サーバ１とは異なる）で取得した位置をデジタルカメラ３側に送信する必要がある。また、絶対位置取得装置７は、デジタルカメラ３に内蔵しても良いし、別途接続するようにしても良い。
【０００８】
サーバ１側は、画像受信部９、アクセス権限設定部１１、ユーザ管理部１３、画像蓄積部１５等を有しており、画像受信部９は、デジタルカメラ３から送信された画像を受信する。本実施形態ではデジタルカメラ３から画像情報を受信する場合に関して述べているが、ＰＣや、ＰＤＡからの画像を受信するようにすることもできる。なお、サーバ１は、図１（ｂ）に示すように、ＣＰＵ１６、メモリ１７、ハードディスクＨＤ１８を有しており、サーバ１における画像受信部９、アクセス権限設定部１１、ユーザ管理部１３、画像蓄積部１５による画像管理処理動作は、サーバ１側のハードディスクＨＤ１８に記憶されたプログラムによってＣＰＵ１６によって実行される。なお、ハードディスクＨＤ１８に記憶されたプログラムは、記憶媒体からインストールするようにすることもできる。
アクセス権限設定部１１は、画像に対して撮影位置情報と撮影時刻情報に基づいてアクセス権限を設定する。ユーザ管理部１３は、ユーザ情報（ユーザＩＤとユーザ名とメールアドレスの組）を保有するとともに、グループ情報（グループ名とグループを構成するユーザのＩＤ）を保有している。画像蓄積部１５は、アクセス権限を関連付けて管理された画像を保管する。
【０００９】
次に、図２のフローチャートを用いて、図１に示す画像管理システムの動作を説明する。図２は、図１に示す画像管理システムの動作フローチャートである。
まず、図２のステップ１０１において、デジタルカメラ３より送信された画像Ａを画像受信部９が受信する。本実施形態では、デジタルカメラ３で撮影された画像および撮影時刻情報および撮影位置情報は、ｅｘｉｆファイル（exchangeable Image File Format）に代表される撮影画像情報と撮影時の撮影条件を一つのファイル（以後画像ファイルと呼ぶ）として管理されている。すなわち、画像Ａは、撮影時刻情報および撮影位置情報を含む。
そして、画像受信部９によって受信された画像Ａは、アクセス権限設定部１１に送信され、アクセス権限設定部１１では、図３に示すようなアクセスマップ情報を保持する。図３は、アクセス権限設定部１１で保持されるアクセスマップ情報の一部を示す説明図である。アクセスマップ情報は、エリアに対して、エリアＩＤ、エリア名、空間情報、利用者情報が関連付けたもので構成されている。図３ではそのうちの２つのエリアのみを含んだアクセスマップ情報を記述している。
【００１０】
図３に示すアクセスマップ情報を、上側のデータ（エリアＡ）を基に説明する。エリアＡには、エリアＩＤ００００００１というＩＤが割り振られ、“○×社第一会議室”というエリア名が設定されている。エリア名は、人間がアクセスマップ情報を利用する際に容易なように設定されている。ここで、エリアは空間情報とも関連付けられている。空間情報とは、エリアと対応する３次元空間を記述したもので、エリアが占める領域を表現している。空間情報は、主に、ある座標が与えられた時に、ある座標がどのエリアに属するか判定するために利用される。
本実施形態では、空間情報は、床面と天井面の高さ（単位ｍｍ）により記述されている。具体的には、図３における上側（エリアＡ）では床面が（０，０，０）、（１００００，０，０）、（１００００，１００００，０）、（０，１００００，０）と設定されている。これは○×社第一会議室の床面上の、４角の三次元座標を表しており、この４頂点を結んだ多角形の境界および内部が、○×社第一会議室の床面であることを示している。また、天井高さは３０００である。
【００１１】
ここで、エリアＡの空間情報を用いて、ある座標がエリアＡの領域内に属するか否か判定する方法を述べる。例えば、座標Ｂ（５０００，５０００，１０００）が与えられたとしよう。まず、床面のｘ，ｙ座標に注目する。床面のｘ，ｙ座標は、０≦ｘ≦１００００，０≦ｙ≦１００００とも表現できる。よって座標Ｂのｘ，ｙ座標はエリアＡに含まれる可能性がある。
次に、座標ＢとエリアＡに関連する空間情報のｚ座標を比較する。エリアＡの高さは０≦ｚ≦３０００、また座標ＢのＺ＝１０００であるので、Ｚ座標もエリアＡに含まれる。よって座標ＢはエリアＡの内部に属すると判定できる。また、同様の計算を行うと、座標Ｃ（−１０００，４０００，１０００）はエリアＡに属していないと判定することができる。なお、空間情報の表現方法は、ポリゴンモデルで記述する方法も考えられる。ポリゴンモデルで記述した場合、より複雑なエリアの設定を行うことができる。
【００１２】
最後にエリアと関連付けられている利用者情報について説明する。利用者情報とは、エリアを利用する権利を持つユーザもしくはグループに関する情報である。図３に記載の“０７／０２／０１／１３／００／００部署Ａ”は、２００７年２月１日１３時０分０秒から部署ＡがエリアＡと対応する空間、すなわち○×社第一会議室を使用開始することを表している。また、“０７／０２／０１／１７／００／００―”は、２００７年２月１日１７時０分０秒から、開始する人間もしくはグループが存在しないことを表している。つまり２００７年２月１日１３時〜１７時まで部署Ａが○×社第一会議室を使用しており、１７時以降は誰も使用していないことを表している。
なお、図３では利用者情報が３つの時刻に関してしか表現されていないが、実際には、過去の分から未来の分まで多くの利用者情報が保存されていることに注意する。
これら図３のデータは理解しづらいので、グラフィカルなマップと時間軸を用いて表現すると、図４に記載されているようなマップ情報を表現しているものとほぼ同等になる。図４は、グラフィカルなマップと時間軸を用いて表現したアクセスマップ情報の一部を示す説明図である。
【００１３】
次に、実際にアクセスマップ情報を使って、画像００１０にアクセス情報を設定する方法を説明する。まず、画像００１０から撮影位置情報００１１（ｘ０，ｙ０，ｚ０）、撮影時刻情報００１２（ｙ１／ｍ１／ｄ１／ｈ１／ｍ’１／ｓ１）を読み取る。そしてアクセスマップ情報と比較することにより、アクセス権限を設定する。
入力情報が撮影位置情報００１１と撮影時刻情報００１２であった場合を考える。まず、ユーザ管理部１３により、アクセスマップ情報を利用して、撮影位置情報００１１から対応するエリアのエリアＩＤ００１３を探し出す（図２のステップ１０３）。ここで、対応するエリアＩＤ００１３が見つからない場合、アクセス制限を“全員”して、ステップ１０７に進み、アクセス権限設定部１１によりアクセス権限の設定が行なわれる。対応するエリアＩＤ００１３が見つかった場合、ステップ１０５に進む。
ステップ１０５では、エリアＩＤ００１３の持つ利用者情報００１４と、撮影時刻情報００１２を比較することにより、利用グループ００１５を探索する。そして利用グループ００１５をアクセス権限保有者として画像００１０に関連づけ、画像蓄積部１５に保存する（ステップ１０９）。
【００１４】
ここで、例えば、撮影位置情報００１１が（５０００，５０００，１０００）で撮影時刻情報００１２が（０７／０２／０１／１５／００／００）の例を考える。まず、アクセスマップ情報の全てのエリアＩＤの空間情報と比較演算することにより、撮影位置情報００１１が含まれるエリアＩＤ、００００００１を得る。次に、エリアＩＤ００００００１と関連付けされている利用者情報と、撮影時刻情報（０７／０２／０１／１５／００／００）を比較することにより、利用者“部署Ａ”を獲得する。そして、画像００１０にアクセス権限“部署Ａ”を関連づけて、画像蓄積部１５に保存する。
なお、“部署Ａ”がどのようなユーザから構成されているかは、ユーザ管理部１３に記述されており、ユーザが画像蓄積部１５に保存されている画像００１０にアクセスするときは、ユーザ認証が行われ、部署Ａに属するユーザがアクセスしている場合に限り、画像００１０にアクセスすることが可能になる。
【００１５】
次に、図５を参照して、本発明による画像管理システムの第二実施形態について説明する。図５は、本発明による画像管理システムの第二実施形態の概略構成ブロック図である。
図５に示すように、この画像管理システムは、画像評価装置としてのサーバ２３と、サーバ２３に撮影画像と撮影時の情報を送信するデジタルカメラ２１からなり、デジタルカメラ２１は、内蔵された無線ＬＡＮ２５と絶対位置取得装置２７を有している。それにより、無線ＬＡＮ２５を用いて撮影画像などのデータの送受信を行うことが可能であり、絶対位置取得装置２７により、デジタルカメラ３で画像を撮影した際の絶対位置を取得することができる。
ここで、絶対位置取得装置７の例としては、ＧＰＳ装置が挙げられ、より高精度の絶対位置を取得する必要がある場合は、高精度の装置を用いる。この場合、絶対位置取得装置２７の絶対位置座標の算出はサーバ３１にて行われる。そして、算出された絶対座標を無線ＬＡＮ２５を通じてデジタルカメラ２１に返す。また、絶対位置取得装置２７をデジタルカメラ２１に内蔵してもよい。
【００１６】
サーバ２３側は、画像受信部３３、アクセス権限設定部３５、ユーザ管理部３７、画像蓄積部３９、リンク情報送信部４１等を有しており、画像受信部３３は、デジタルカメラ２１から送信された画像を受信する。本実施形態ではデジタルカメラ２１から画像情報を受信する場合に関して述べているが、ＰＣや、ＰＤＡからの画像を受信するようにすることもできる。
アクセス権限設定部３５は、画像に対して撮影位置情報と撮影時刻情報に基づいてアクセス権限を設定する。ユーザ管理部３７は、ユーザ情報（ユーザＩＤと関連付けられたユーザ名とメールアドレスとユーザの現在位置）を保有している。画像蓄積部１５は、アクセス権限を関連付けて管理された画像を保管する。リンク情報送信部４１は、アクセス権を有するユーザに対して、画像蓄積部３９に蓄えられた画像へのリンク情報を送信する。
絶対位置取得装置２９は、ユーザ管理部３７で管理されているユーザＩＤを保有している絶対位置取得装置である。サーバ３１は、絶対位置取得装置２７のみならず、絶対位置取得装置２９の絶対位置の算出も可能である。絶対位置取得装置２７の絶対位置は、デジタルカメラ２１に送信したが、絶対位置取得装置２９の絶対位置はサーバ２３へ送信する。
【００１７】
次に、ユーザ管理部３７で管理されているユーザ情報に関して説明を行う。ユーザ管理部３７では、ユーザデータを図６に示すような状態で管理している。図６は、ユーザ管理部３７において管理されるユーザデータを示す説明図である。つまり、ユーザＩＤと、ユーザ名、ユーザアドレス、現在位置を関連付けて管理している。現在位置は、ユーザが最後に検出された座標が属するエリアＩＤで表現される。エリアＩＤが存在しない座標でユーザが検出された場合はＮＧと記述される。エリアＩＤに関しては次章アクセスマップ情報にて記述する。
次に、アクセス権限設定部３５に保存されているアクセスマップ情報を説明する。アクセスマップ情報とは、多数のエリアで成り立っており、各エリアは、エリアＩＤ、エリア名、空間情報、利用者情報リストから構成されている。図７ではそのうちの２つのエリアに関するアクセスマップ情報のみ記述している。図７は、記述されているアクセスマップ情報を示す説明図である。
ここで、アクセスマップ情報を図７の上側に記述されているエリアＡのデータを基に説明する。エリアＩＤは００００００１が割り振られ、エリア名は“○×社第一会議室”と設定されている。エリア名は、人間がアクセスマップを利用する際に容易なように設定されている。また、エリアＡの三次元領域が空間情報として記録されている。空間情報とは、エリアと対応する３次元空間を記述したもので、エリアが占める領域を表現している。ある座標が与えられた時に、ある座標がエリアに属するか否かを判定するために利用される。
【００１８】
空間情報は、本実施形態では、床面と天井面の高さ（単位ｍｍ）により記述されている。具体的には、図７の上側では床面が（０，０，０）、（１００００，０，０）、（１００００，１００００，０）、（０，１００００，０）と設定されている。これは○×社第一会議室の床面上の、４角の三次元座標を表しており、この４頂点を結んだ多角形の境界および内部が、○×社第一会議室の床面であることを示している。また、天井高さは３０００である。
ここで、エリアＡの空間情報を用いて、ある座標がエリアＡの領域内に属するか否か判定する方法を述べる。例えば、座標Ｂ（５０００，５０００，１０００）が与えられたとした場合、まず、床面のｘ，ｙ座標に注目する。床面のｘ，ｙ座標は、０≦ｘ≦１００００，０≦ｙ≦１００００とも表現できる。よって座標Ｂのｘ，ｙ座標はエリアＡ含まれる可能性がある。
次に、座標ＢとエリアＡに関連する空間情報のｚ座標を比較する。エリアＡの高さは０≦ｚ≦３０００、また座標ＢのＺ＝１０００であるので、Ｚ座標もエリアＡに含まれる。よって座標ＢはエリアＡの内部に属する、と判定できる。また、同様の計算を行うと、座標Ｃ（−１０００，４０００，１０００）はエリアＡに属していないと判定することができる。なお、空間情報の表現方法は、ポリゴンモデルで記述する方法も考えられる。ポリゴンモデルで記述した場合、より複雑なエリアを記述することができる。
【００１９】
最後にエリアＡと関連付けられている利用者情報リストについて説明する。利用者情報リストとは、エリアを利用しているユーザに関する利用状況のリストである。図７の上に記載の“０７／０２／０１／１３／００／００  ０７／０２／０１／１５／００／００  １０００００１”は、２００７年２月１日１３時０分０秒から２００７年２月１日１５時０分０秒まで、ユーザＩＤ１０００００１を持つユーザが、○×社第一会議室にいたことを表している。同様に、“０７／０２／０１／１３／０３／００  ０７／０２／０１／１４／５８／００  １０００００２”は、２００７年２月１日１３時３分０秒から２００７年２月１日１４時５８分０秒まで、ユーザＩＤ１０００００２を持つユーザが○×社第一会議室にいたことを表している。なお、“０７／０２／０１／１７／００／００―１０００００５”のように、利用終了時刻が書かれていないデータは、現在利用中であることを表している。
【００２０】
次に、図８を参照してアクセスマップ情報の更新方法を説明する。図８は、アクセスマップ情報の更新方法のフローチャートを示す図である。
図８のステップ２０１において、サーバ３１が、ユーザの絶対位置（ユーザＩＤ００３０、ユーザ位置００３１、位置データ取得時刻００３２）を取得する。すると、サーバ３１は、ユーザＩＤ００３０とユーザ位置００３１位置データ取得時刻００３２をユーザ管理部３７に送信する。ユーザ管理部３７では、ユーザＩＤ００３０と、管理されているユーザＩＤとの照合を行い、得られたユーザＩＤをユーザＩＤ００３３とする。ユーザＩＤを関連付けられた現在位置００３４に対し、ユーザ位置００３１が現在位置００３４に含まれるか否かを判定する（ステップ２０３）。現在位置００３４はエリアＩＤを示しているので、アクセスマップ情報から対応するエリアＩＤ００３５を探し出し、エリアＩＤ００３５と関連付けられた空間情報００３６に含まれるか否かを判定することで行われる。
そして、ユーザ位置００３１が現在位置００３４に含まれるならば処理終了し、含まれない場合、エリアＩＤ００３５の持つ利用者情報リストには、終了時刻の記述されておらず、かつ、ユーザＩＤ００３０を持つ利用者情報が存在するので、その終了時刻に位置データ取得時刻００３２を書き込む（ステップ２０５）。
次に、ユーザ位置００３１を含むエリアＩＤ００３７を、各エリアＩＤの空間情報と比較することによりアクセスマップ情報から検索し（ステップ２０７）、エリアＩＤ００３７が探索できなかった場合、ユーザ管理部３７の保持しているユーザＩＤ００３０の現在位置に“ＮＧ”と記入する。エリアＩＤ００３７が探索できた場合は、利用者情報に、位置データ取得時刻００３２を開始時刻とし、終了時刻“―”、ユーザＩＤ００３０の組を利用者情報に追加し、ユーザ管理部５００７の保持しているユーザＩＤ００３０の現在位置に対応するエリアＩＤ００３７を記入する（ステップ２０９）。
【００２１】
最後に、デジタルカメラ２１から画像が送られてきた場合の動作を、図９のフローチャートを用いて行う。図９は、デジタルカメラ２１から画像が送られてきた場合の動作ローチャートを示す図である。
まず、図９のステップ３０１において、デジタルカメラ２１より送信された画像００５０を画像受信部３３が受信する。本実施形態では、デジタルカメラ２１で撮影された画像および撮影時刻、および撮影された絶対位置は、ｅｘｉｆファイル（exchangeable Image File Format）に代表されるように、撮影画像情報と撮影時の撮影条件を一つのファイル（以後画像ファイルと呼ぶ）で管理されているものとする。すなわち、画像００５０は、撮影時刻情報００５１および撮影位置情報００５２を含む。
そして、画像受信部３３によって受信された画像５０２０は、アクセス権限設定部３５に送信され、アクセス権限設定部３５では、前述したアクセスマップ情報を用いて、撮影位置情報００５２が属するエリアＩＤ００５３を検索する（ステップ３０３）。ここで、対応するエリアＩＤ００５３が見つからなかった場合は、画像００５０へのアクセス権を“ユーザ全て”として、画像を画像蓄積部３９へ保存する（ステップ３１３、３１５）。
【００２２】
対応するエリアＩＤ００５３が見つかった場合は、エリアＩＤ００５３に対応する利用者情報リスト００５４から、撮影時刻情報００５１に、エリアＩＤ００５３に属していた利用者のユーザＩＤリスト００５５を抽出する（ステップ３０５、３０７）。例えば、撮影時刻情報００５１が０７／０２／１３／３０／００で、撮影位置情報００５２が（５０００，５０００，２０００）であったとき、抽出されるユーザＩＤリスト００５５は、１０００００１，１０００００２，１０００００３から構成される（図７に記載のアクセスマップ情報を参照）。
そして、画像００５０をユーザＩＤリスト００５５にのみ、アクセス権限を与え、画像蓄積部３９へ保存する（ステップ３０９）。そして、最後に、ユーザＩＤリスト００５５と、画像蓄積部３９へ保存された画像００５０へのリンク情報００５６をリンク情報送信部４１に転送する。リンク情報送信部４１は、ユーザＩＤリスト００５５を用いて、ユーザ管理部３７からユーザＩＤリスト００５５に対応するメールアドレスリスト００５７を取得し、メールアドレスリスト００５７に対して、リンク情報００５６を送信する（ステップ３１１）。
【００２３】
なお、本実施形態では、建物内での動作を中心に記述したが、屋外で使用することもできる。例えば、屋外で記念写真を撮影したときに、メンバーに画像のリンクを送信することができる。
しかし、実際に屋外で使用するときには、エリアＩＤ内にメンバー以外の人が混じる場合がある。そのメンバーとメンバー以外を区別するために、デジタルカメラに方位センサをつけ、撮影時のカメラの向きを獲得しておく。また同時に、デジタルカメラに付随の測距センサによりメンバーまでの距離を獲得しておく。これらの情報を利用することにより、エリアＩＤ内にメンバー以外の人が混じった場合でも、メンバーとメンバー以外を区別することが可能となる。
【図面の簡単な説明】
【００２４】
【図１】本発明による画像管理システムを示す図であり、（ａ）は画像管理システムの第一実施形態の概略構成ブロック図、（ｂ）はサーバ１の一構成を示す図である。
【図２】図１に示す画像管理システムの動作フローチャートである。
【図３】アクセス権限設定部１１で保持されるアクセスマップ情報の一部を示す説明図である。
【図４】グラフィカルなマップと時間軸を用いて表現したアクセスマップ情報の一部を示す説明図である。
【図５】本発明による画像管理システムの第二実施形態の概略構成ブロック図である。
【図６】ユーザ管理部３７において管理されるユーザデータを示す説明図である。
【図７】記述されているアクセスマップ情報を示す説明図である。
【図８】アクセスマップ情報の更新方法のフローチャートである。
【図９】デジタルカメラ２１から画像が送られてきた場合の動作フローチャートである。
【符号の説明】
【００２５】
１…サーバ、３…デジタルカメラ、５…ＬＡＮ、７…絶対位置取得装置、９…画像受信部、１１…アクセス権限設定部、１３…ユーザ管理部、１５…画像蓄積部、１６…ＣＰＵ、１７…メモリ、１８…ＨＤ、２１…デジタルカメラ、２３…サーバ、２５…ＬＡＮ、２７…絶対位置取得装置、２９…絶対位置取得装置、３１…サーバ、３３…画像受信部、３５…アクセス権限設定部、３７…ユーザ管理部、３９…画像蓄積部、４１…リンク情報送信部
【図１】
0004886637.tif 000002
【図２】
0004886637.tif 000003
【図３】
0004886637.tif 000004
【図４】
0004886637.tif 000005
【図５】
0004886637.tif 000006
【図６】
0004886637.tif 000007
【図７】
0004886637.tif 000008
【図８】
0004886637.tif 000009
【図９】
0004886637.tif 000010